(57)【要約】  【課題】非使用時の外観を整えることと、収納空間をより有効に利用できるようにすることとを両立する。  【解決手段】前方に開口する収納空間１ｓを有する本体１と、前記収納空間１ｓの前方に位置し前記本体に幅方向にスライド可能に支持される第１の戸板２と、前記第１の戸板２に接続手段たるヒンジ装置４を介して接続される第２の戸板３とを具備するものであって、前記ヒンジ装置４が、前記第１の戸板２の外面及び前記第２の戸板３の外面が略または完全に面一をなす閉止位置Ｓと前記第１の戸板２に前記第２の戸板３が重合する開成位置Ｏとの間で前記第２の戸板３を移動可能に前記第１の戸板２に接続する。  【選択図】図３
2005282195.tif 000002
【特許請求の範囲】
【請求項１】
前方に開口する収納空間を有する本体と、前記収納空間の前方に位置し前記本体に幅方向にスライド可能に支持される第１の戸板と、前記第１の戸板に接続手段を介して接続される第２の戸板とを具備するものであって、前記接続手段が、前記第１の戸板の外面及び前記第２の戸板の外面が略または完全に面一をなす閉止位置と前記第１の戸板に前記第２の戸板が正面視略または完全に重合する開成位置との間で前記第２の戸板を移動可能に前記第１の戸板に接続することを特徴とする収納家具。
【請求項２】
前記接続手段が、前記第１の戸板に対して前記第２の戸板を回動可能に接続することを特徴とする請求項１記載の収納家具。
【請求項３】
前記第２の戸板の内面に機能部を設けているとともに、前記第２の戸板を開成位置に移動させることにより前記機能部が外方に露出する構成を有することを特徴とする請求項２記載の収納家具。
【請求項４】
前記機能部として、第２の戸板に反使用端側を支持させてなり、天板面が上方を向く使用状態と天板面が第２の戸板の板面と略対向又は背向する収納状態との間で変化可能な天板を有する簡易テーブルを備えていることを特徴とする請求項３記載の収納家具。
【請求項５】
前記本体が幅方向に延伸するレールを有するものであって、前記本体を幅方向に隣接させて複数設けた際に、前記第１の戸板が一の本体のレールに支持された状態から他の本体のレールに支持された状態にスライド移動により移行可能に構成していることを特徴とする請求項１、２、３又は４記載の収納家具。
【請求項６】
前記レールの前方に前記第１の戸板及び前記第２の戸板を位置させていることを特徴とする請求項５記載の収納家具。
【請求項７】
前記第１の戸板を所定の位置に保持可能な第１戸板保持機構をさらに有することを特徴とする請求項１、２、３、４、５又は６記載の収納家具。
【請求項８】
前記第１の戸板を複数有するとともに、前記第１戸板保持機構を前記第１の戸板と同数有し、前記第１の戸板の全てを前記第１戸板保持機構を介して保持し前記第２の戸板を前記閉止位置に移動させた全戸板閉止状態で前記第１の戸板及び前記第２の戸板により前記収納空間が隠蔽される位置に前記所定の位置を設定していることを特徴とする請求項７記載の収納家具。
【請求項９】
一の第１の戸板をスライド移動させ、前記全戸板閉止状態において他の第１の戸板が位置する箇所に第１戸板保持機構を介して前記一の第１の戸板を保持し、それに接続された第２の戸板を閉止可能であることを特徴とする請求項８記載の収納家具。
【請求項１０】
前記一の第１の戸板及び該第１の戸板に接続され閉止位置にある第２の戸板を越えて、該第１の戸板及び第２の戸板に隣接する他の第１の戸板がスライド移動することを禁止するスライド禁止機構をさらに有することを特徴とする請求項９記載の収納家具。
【請求項１１】
前記一の第１の戸板を第１戸板保持機構を介して保持させた状態で、前記一の第１の戸板に接続され閉止位置にある第２の戸板を閉止位置に係止可能である係止機構を有することを特徴とする請求項９又は１０記載の収納家具。
【請求項１２】
前記第１の戸板を本体に設けたレールを介して支持し、前記第１の戸板に設けた転動体を前記レール上に当接させてなるものであって、前記第１戸板保持機構が、前記レールの当接面に設けた変形部に前記転動体を係止する構成を有することを特徴とする請求項７、８、９、１０又は１１記載の収納家具。
【請求項１３】
前記第１の戸板を本体に設けたレールを介して支持し、前記第１の戸板に設けた転動体を前記レール上に当接させてなるものであって、前記第１戸板保持機構が、前記転動体の側面に当接して該転動体を係止する構成を有することを特徴とする請求項７、８、９、１０又は１１記載の収納家具。
【請求項１４】
前記第２の戸板を前記閉止位置又は前記開成位置に係止可能な第２戸板保持機構を前記接続手段内にさらに有することを特徴とする請求項１、２、３、４、５、６、７、８、９、１０、１１、１２又は１３記載の収納家具。
【請求項１５】
前記第２の戸板の前記全閉位置からの移動を禁止する開閉ロック機構をすべての前記第２の戸板に対応する位置に設けているとともに、前記開閉ロック機構がソレノイドを有し、前記ソレノイド全てを互いに電気的に接続し、前記開閉ロック機構のすべての作動開始及び解除を同時に行う開閉ロック機構作動司令部を有することを特徴とする請求項１、２、３、４、５、６、７、８、９、１０、１１、１２、１３又は１４記載の収納家具。
【請求項１６】
前記開閉ロック機構のソレノイドを、本体側に設けていることを特徴とする請求項１５記載の収納家具。
【請求項１７】
前記開閉ロック機構が、前記ソレノイドと、前記ソレノイドの磁力を受けて移動可能なピンと、第２の戸板に設けられ前記ピンと係合可能な係合部とを有することを特徴とする請求項１６記載の収納家具。
【請求項１８】
前記第２の戸板を前記閉止位置に移動させた戸板閉止状態であることを検知する戸板閉止検知手段を有するとともに、戸板閉止状態にある本体においてのみ前記開閉ロック機構作動司令部が機能することを特徴とする請求項１５、１６又は１７記載の収納家具。
【請求項１９】
本体が全て前記ソレノイドを有するとともに、幅方向に隣接する本体のソレノイドと電気的に接続して開閉ロック機構作動司令部と連動可能に構成していることを特徴とする請求項１５、１６、１７又は１８記載の収納家具。
【発明の詳細な説明】
【技術分野】
【０００１】
本発明は、前方に開口する収納空間を有する本体と、前記収納空間の前方に位置する戸板とを有する収納家具に関する。
【背景技術】
【０００２】
従来、前方に開口する収納空間を有する本体と、前記収納空間の前方に位置する複数の戸板とを有する収納家具において、前記複数の戸板を介して前記収納空間を外方空間から隠蔽する際の外観を整えるべく、２枚の戸板を蝶番で接続してこれら２枚の戸板の外面が面一となる閉止位置に位置させることの可能な構成のものが広く用いられている。
【０００３】
また、収納空間を完全に隠蔽した際の外観を整え、戸板の幅寸法を抑えつつ収納空間に大きな開口を設けることができるようにすべく、２枚の戸板を蝶番で接続した折れ戸を開口に一列に並べて配置し、これら折れ戸を幅方向にスライド移動可能に構成しているものが考えられている。（例えば特許文献１を参照。）
さらに、同様の目的で、上下方向に延びる多数の仕切桟をリンクにより接続しているとともにスライド移動可能に構成し、収納空間の一部に形成した戸袋空間に収納可能にしている横引きシャッターが考えられている。（例えば特許文献２を参照。）
【特許文献１】特開平１１−６２４２８号公報
【特許文献２】特開平１０−３５８４９６号公報
【発明の開示】
【発明が解決しようとする課題】
【０００４】
しかして、特許文献１記載の構成では、前記収納空間に対する収納物品の出し入れ等の際に、前記折れ戸を構成する戸板が前方に移動する。従って、これら戸板の前方を通路として利用する場合に該通路の通行の妨げとなる不具合が発生しうる。
【０００５】
また、特許文献２記載の構成では、収納空間の一部に戸袋空間を形成する必要があるので、収納空間がその分だけ損なわれる不具合が発生する。さらに、前記特許文献２の構成では、収納空間を開口させる際には横引きシャッターを前記戸袋空間側にスライドさせ、戸袋空間と反対側から順次開口するが、このような構成では戸袋空間と幅方向に隣接する部分のみを開口させることが不可能であり、収納空間の開口位置の自由度が小さい。また、前記戸袋空間と幅方向に隣接する部分から物品を取り出す場合には、前記収納空間の略全体を開口させる必要があり、この操作が面倒に感じられる場合がある不具合も存在する。
【０００６】
本発明は、以上に述べた課題を解決し、外観を整えることと、収納空間をより有効に利用可能にすることとの両立を図るべく構成するものである。
【課題を解決するための手段】
【０００７】
すなわち、本発明に係る収納家具は、前方に開口する収納空間を有する本体と、前記収納空間の前方に位置し前記本体に幅方向にスライド可能に支持される第１の戸板と、前記第１の戸板に接続手段を介して接続される第２の戸板とを具備するものであって、前記接続手段が、前記第１の戸板の外面及び前記第２の戸板の外面が略または完全に面一をなす閉止位置と前記第１の戸板に前記第２の戸板が正面視略または完全に重合する開成位置との間で前記第２の戸板を移動可能に前記第１の戸板に接続することを特徴とする。
【０００８】
このようなものであれば、前記第２の戸板を全て開成位置に移動させることにより、収納空間全体のうち半分ないし３分の２を前方に開口させることができ、しかも前記第１の戸板をスライド移動させることにより、収納空間の任意の箇所を開口させることができるので、収納空間をより有効に利用できる。しかも、戸板を収納空間に設けた戸袋に退避させる態様と異なり、収納空間内に戸袋を退避させるための空間を確保する必要がないので、この点からも収納空間をより有効に利用できる。しかも、第１の戸板のスライド移動により収納空間の所望の位置を開口させることができるので、戸板の開閉動作に伴い戸板前方に形成した通路の通行の妨げとなる不具合が起こりにくい。加えて、前記第１、第２の戸板が全て閉止位置である状態では、これらの戸板の外面が略面一となるので、非使用時の外観を整えることができる。
【０００９】
このような収納家具を容易に実現するための態様として、前記接続手段が、前記第１の戸板に対して前記第２の戸板を回動可能に接続するものが挙げられる。
【００１０】
特に、前記第２の戸板の内面に機能部を設けているとともに、前記第２の戸板を開成位置に移動させることにより前記機能部が外方に露出する構成を有するものであれば、前記収納空間に物品を収納する収納家具としての機能の他に、前記第２の戸板を開成位置に移動させることにより前記機能部をも利用することができる。なお、前記機能部としては、例えば前記第２の戸板の内面との間に物品を保持可能な物品保持具や、前記第２の戸板の内面に形成した鏡面等が考えられる。
【００１１】
有効に利用できる機能部を有する収納家具の一例として、前記機能部として、第２の戸板に反使用端側を支持させてなり、天板面が上方を向く使用状態と天板面が第２の戸板の板面と略対向又は背向する収納状態との間で変化可能な天板を有する簡易テーブルを備えているものが挙げられる。このようなものであれば、例えば書類を収納する位置の近傍に開成位置にある第２の戸板を該第２の戸板を接続している第１の戸板ごと移動させ、移動させた先の位置で簡易テーブルの天板を使用状態とし、この天板上で書類をファイルに綴じる作業を行いつつ書類を綴じたファイルを収納空間の前記位置に収納する作業を行える効果が得られる。
【００１２】
上述したような収納家具を容易に実現するための他の態様として、前記接続手段が、前記第１の戸板に対して前記第２の戸板を平行移動可能に接続するものが挙げられる。
【００１３】
前記本体を幅方向に隣接させて複数設ける態様において、より大きな開口部を形成可能にするための態様として、前記本体が幅方向に延伸するレールを有するものであって、前記本体を幅方向に隣接させて複数設けた際に、前記第１の戸板が一の本体のレールに支持された状態から他の本体のレールに支持された状態にスライド移動により移行可能に構成しているものが挙げられる。このようなものであれば、本体の境界を越えて前記第１の戸板を移動させることができるので、前記本体を幅方向に隣接させて複数設けた状態において、前記第２の戸板を開成位置に移動させた後、前記第１の戸板を一端部に集中させて他端部に大きな開口を設けることや、前記第１の戸板を両端部に集中させて中央部に大きな開口を設けること等ができるようになるからである。
【００１４】
前段で述べた構成を容易に実現できる態様として、前記レールの前方に前記第１の戸板及び前記第２の戸板を位置させているものが挙げられる。このようなものであれば、本体の側面を形成する側板を越えて本体の側面と面一となる位置までレールを延伸させて設けることができるからである。
【００１５】
このような収納家具をより安定して利用できるようにするための態様として、前記第１の戸板を所定の位置に保持可能な第１戸板保持機構をさらに有するものが挙げられる。このようなものであれば、第１戸板保持機構を作動させることにより、外部からの思わぬ作用によって前記第１の戸板が利用者の意図しないスライド移動を行う不具合を起こりにくくできるからである。
【００１６】
特に、前記第１の戸板を複数有するとともに、前記第１戸板保持機構を前記第１の戸板と同数有し、前記第１の戸板の全てを前記第１戸板保持機構を介して保持し前記第２の戸板を前記閉止位置に移動させた全戸板閉止状態で前記第１の戸板及び前記第２の戸板により前記収納空間が隠蔽される位置に前記所定の位置を設定しているものであれば、前記第１の戸板及び前記第２の戸板の外面を容易に面一にすることができる。
【００１７】
このような収納家具において、幅広い利用態様に対応可能にする構成として、一の第１の戸板をスライド移動させ、前記全戸板閉止状態において他の第１の戸板が位置する箇所に第１戸板保持機構を介して前記一の第１の戸板を保持し、それに接続された第２の戸板を閉止可能であるものが挙げられる。このようなものであれば、収納空間の所望の位置を開口及び閉止させ、開口・閉止箇所が任意に混在した状態にすることもできる。
【００１８】
特に、前記係止機構が、前記一の第１の戸板及び該第１の戸板に接続され閉止位置にある第２の戸板を越えて、該第１の戸板及び第２の戸板に隣接する他の第１の戸板がスライド移動することを禁止する機能を有するものであれば、第１の戸板をスライドさせたい範囲の両側において第２の戸板を閉止位置に係止することで、第１の戸板のスライド範囲を決定できるようになる。
【００１９】
さらに、前記一の第１の戸板を第１戸板保持機構を介して保持させた状態で、前記一の第１の戸板に接続され閉止位置にある第２の戸板を閉止位置に係止可能である係止機構を有するものであれば、収納家具全体にわたるそのときの開口、隠蔽範囲の状態を保持しておくことができる。
【００２０】
前記第１戸板保持機構を容易に実現できる態様として、前記第１の戸板を本体に設けたレールを介して支持し、前記第１の戸板に設けた転動体を前記レール上に当接させてなるものであって、前記第１戸板保持機構が、前記レールの当接面に設けた変形部に前記転動体を係止する構成を有するものが挙げられる。このようなものであれば、プレス等により前記レールの当接面に前記転動体を係止可能な変形部を形成できるからである。
【００２１】
前記第１戸板保持機構を実現できる他の態様として、前記第１の戸板を本体に設けたレールを介して支持し、前記第１の戸板に設けた転動体を前記レール上に当接させてなるものであって、前記第１戸板保持機構が、前記転動体の側面に当接して該転動体を係止する構成を有するものが挙げられる。
【００２２】
第２の戸板が外部からの思わぬ作用により開閉運動してしまう不具合の発生を抑えるとともに、第２の戸板の開閉操作にクリック感を与えることができる態様として、前記第２の戸板を前記閉止位置又は前記開成位置に係止可能な第２戸板保持機構を前記接続手段内にさらに有するものが挙げられる。
【００２３】
このような収納家具のロック操作を容易に行うことができる態様として、前記第２の戸板の前記全閉位置からの移動を禁止する開閉ロック機構をすべての前記第２の戸板に対応する位置に設けているとともに、前記開閉ロック機構をソレノイドを利用して形成して互いに電気的に接続し、前記開閉ロック機構のすべての作動開始及び解除を同時に行う開閉ロック機構作動司令部を有するものが挙げられる。
【００２４】
特に、前記開閉ロック機構のソレノイドを、本体側に設けているものであれば、第２の戸板側にソレノイドを設ける態様と比較して配線を容易に行うことができる。
【００２５】
このような開閉ロック機構を具体的に実現できる態様の一例として、前記開閉ロック機構が、前記ソレノイドと、前記ソレノイドの磁力を受けて移動可能なピンと、第２の戸板に設けられ前記ピンと係合可能な係合部とを有するものが挙げられる。
【００２６】
前記第２の戸板を前記閉止位置に移動させた戸板閉止状態であることを検知する戸板閉止検知手段を有するとともに、戸板閉止状態にある本体においてのみ前記開閉ロック機構作動司令部が機能するものであれば、全ての前記第２の戸板を前記閉止位置に移動させた状態はもちろん、開成・閉止が混在した状態であっても簡単にロック可能な戸板のみをロックできる。また、開成位置にある第２の戸板がある状態で開閉ロック機構作動司令部を機能させることにより前記開成位置にある第２の戸板の閉止位置への移動がロック機構のピンに妨げられて禁止されてしまう不具合の発生を防ぐこともできる。
【００２７】
新たな本体をすでに設置されている収納家具に幅方向に隣接させて設け、収納家具の収納空間を増設する際に好適な態様として、本体が全て前記ソレノイドを有するとともに、幅方向に隣接する本体のソレノイドと電気的に接続して開閉ロック機構作動司令部と連動可能に構成しているものが挙げられる。
【発明の効果】
【００２８】
本発明に係る収納家具は、前記第２の戸板を全て開成位置に移動させることにより、収納空間全体のうち半分ないし３分の２を前方に開口させることができ、しかも前記第１の戸板をスライド移動させることにより、収納空間の任意の箇所を開口させることができるので、収納空間をより有効に利用できる。しかも、戸板を収納空間に設けた戸袋に退避させる態様と異なり、収納空間内に戸袋を退避させるための空間を確保する必要がないので、この点からも収納空間をより有効に利用できる。しかも、第１の戸板のスライド移動により収納空間の所望の位置を開口させることができるので、戸板の開閉動作に伴い戸板前方に形成した通路の通行の妨げとなる不具合が起こりにくい。加えて、前記第１、第２の戸板が全て閉止位置である状態では、これらの戸板の外面が略面一となるので、非使用時の外観を整えることができる。
【発明を実施するための最良の形態】
【００２９】
本実施形態に係る収納家具Ｆは、図１、図２、及び図４に種々の状態の正面図、また図２に示す状態の斜視図を図３に示すように、前方のみに開口する収納空間１ｓを有する本体１と、前記収納空間１ｓの前方に位置し前記本体１に幅方向にスライド可能に支持される第１の戸板２と、前記第１の戸板２に接続手段たるヒンジ装置４を介して接続される第２の戸板３とを具備する。さらに、前記収納空間１ｓの上方には欄間１ｒを設けているとともに、この欄間１ｒの前方には該欄間１ｒを外部から隠蔽する機能を有する欄間扉９を設けている。前記欄間扉９は、前記第１の戸板２と第２の戸板３の直上に設けている。また、本体１は、左右１対に設けられる側板１４と、底構造体１５と、背板１６とを具備し、これらの側板１４、底構造体１５、及び背板１６により収納空間１ｓの両側方、下方、及び後方を隠蔽しているとともに、収納空間１ｓと欄間１ｒの境界には後述する上面板１３を設けている。加えて、前記欄間１ｒの上方には頂板１７を設けていて、前記、側板１４、背板１６、及び頂板１７により欄間１ｒの両側方、上方、及び後方を隠蔽している。そして、前記本体１、第１の戸板２、第２の戸板３、及び１対の欄間扉９により、前記収納空間１ｓ及び前記欄間１ｒを内部に有する収納単位を形成していて、この収納単位を幅方向に複数個隣接させて配置して使用する。
【００３０】
本実施形態では、前記本体１を幅方向に隣接させて２個配置しているとともに、これら本体１ごとに前記第１の戸板２及び前記第２の戸板３をそれぞれ１枚ずつ設けている。すなわち、収納家具Ｆ全体としては、前記第１の戸板２及び前記第２の戸板３をそれぞれ２枚ずつ有する。
【００３１】
しかして本実施形態では、前記ヒンジ装置４が、前記第１の戸板２の外面２ａ及び前記第２の戸板３の外面３ａが略または完全に面一をなす閉止位置Ｓと、前記第１の戸板２に前記第２の戸板３が正面視略または完全に重合する開成位置Ｏとの間で、前記第２の戸板３を移動可能に前記第１の戸板２に回動可能に接続している。前記図１において、この収納家具Ｆは、両側の本体１に設けられた第２の戸板３がともに閉止位置Ｓにある全戸板閉止状態である。また、左側の本体１に設けられた第２の戸板３は閉止位置Ｓに位置し、右側の本体１に設けられた第２の戸板３は開成位置Ｏに位置する状態の正面図、同状態の斜視図を図３に示す。さらに、両側の本体１に設けられた第２の戸板３をともに開成位置Ｏに移動させ、これら第２の戸板３をヒンジ装置４により接続された前記第１の戸板２ごと右側の本体１に支持させた状態の正面図を図４に示す。なお、第２の戸板３をともに閉止位置Ｓに移動させた状態で、前記第１の戸板２と第２の戸板３との互いに対向する側面間、及び互いに隣接する欄間扉９の互いに対向する側面間には、それぞれ目地と呼ばれる隙間を形成するようにしている。そして、前記第１の戸板２又は第２の戸板３の両側縁と、これら前記第１の戸板２又は第２の戸板３の直上に設けている欄間扉９の両側縁とを面一に構成している。
【００３２】
前記第２の戸板３の内面には、機能部としてマガジンホルダ３１を設けている。このマガジンホルダ３１は、前記図２及び図３に示すように、前記第２の戸板３を開成位置Ｏに移動させることにより、外方に露出する。
【００３３】
さらに、本実施形態では、前記図１〜図４、前記図１における本体１の境界付近を拡大して示した図である図５、前記図１におけるｘ−ｘ断面の本体１の境界付近を拡大して示した図である図６、前記図１におけるｙ−ｙ断面の第１の戸板２の上端近傍の部分を拡大して示した図である図７、及び前記図１におけるｙ−ｙ断面の第１の戸板２の下端近傍の部分を拡大して示した図である図８に示すように、前記本体１に、収納空間１ｓの上端を形成する上面板に取り付けられ、幅方向に延伸するレールたる上レール１１、及び収納空間１ｓの下端を形成する底板に取り付けられ、幅方向に延伸するレールたる下レール１２を設けている。これら上レール１１及び下レール１２は、前記第１の戸板２の後面に設けられた上転動体及び下転動体にそれぞれ当接して前記第１の戸板２をこれら上レール１１及び下レール１２の前方に位置させて支持する。また、前記上レール１１及び下レール１２は、本体１の幅寸法一杯に延伸して、左側の本体１に設けた上レール１１及び下レール１２と、右側の本体に設けた上レール１１及び下レール１２とを略隙間なく配置可能にしている。すなわち、前記上レール１１及び下レール１２は収納空間の側面を形成する側板１４の内側面を越えて延伸していて、前記第１の戸板２が一の本体１のレール１１、１２に支持された状態から本体１間の境界面を越えて他の本体１のレール１１、１２に支持された状態にスライド移動により移行可能な構成を有する。
【００３４】
さらに詳述すると、前記上レール１１は、角パイプ状をなす上レール本体１１１と、この上レール本体１１１の後上端から上方に突出させて設けた第１当接板部１１２と、前記レール本体１１１の後面から後方に突出させて設けた第２当接板部１１３と、前記上レール本体１１１の前下端から前方に突出させて設けたレール面部１１４とを有する。そして、この上レール１１は、前記第１当接板部１１２及び第２当接板部１１３を収納空間１ｓの上面を形成する上面板１３の前面及び下面にそれぞれ当接させた状態でこの上面板１３に取り付けられている。
【００３５】
一方、第１の戸板２の上端部には、前記ヒンジ装置４と反対側の端部に第１及び第２上転動体２１１、２１２を設けているとともに、前記ヒンジ装置４側の端部に第３上転動体（図示略）を設けている。これら第１〜第３上転動体は、上転動体取付板２１０を介して第１の戸板２の後面に取り付けられている。そして、前記第１上転動体２１１及び第３上転動体を前記レール面部１１４の上面に載置させるようにしているとともに、前記第２転動体２１２を前記レール面部１１４の下面に当接させるようにしている。第２の戸板３を開成位置Ｏに移動させた状態における上レール１１、本体１の境界、第１の戸板２、及び第２の戸板３の関係を示す斜視図を図９に示す。
【００３６】
また、前記下レール１２は、角パイプ状をなす下レール本体１２１と、前記下レール本体１２１の前上端から前方に突出させて設けたレール面部１２２とを有する。そして、この下レール１２は、その後面を収納空間の下面を形成する底構造体１５の前面に当接させた状態でこの底構造体１５に取り付けられている。
【００３７】
一方、第１の戸板２の下端部には、前記ヒンジ装置４と反対側の端部に第１下転動体２２１を設けているとともに、前記ヒンジ装置４側の端部に第２及び第３下転動体（図示略）を設けている。これら第１〜第３下転動体は、下転動体取付板２２０を介して第１の戸板２の後面に取り付けられている。そして、前記第１下転動体２２１及び第３下転動体を前記レール面部１２２の下面に当接させるようにしているとともに、前記第２下転動体を前記レール面部１２２の上面に載置させるようにしている。
【００３８】
加えて、本実施形態では、前記第１の戸板２を所定の位置に保持可能な第１戸板保持機構５をさらに有する。この第１戸板保持機構５は、前記第１の戸板２と同数、すなわち本実施形態では２個設けられている。そして、前記所定の位置は、本実施形態では第１の戸板２の２枚両方を前記第１戸板保持機構５を介して保持し、前記第２の戸板３を前記閉止位置Ｓに移動させた全戸板閉止状態で、前記第１の戸板２及び前記第２の戸板３により前記収納空間１ｓが前方区間から隠蔽される位置に設定している。
【００３９】
具体的には、前記第１戸板保持機構５は、第１の戸板２の上端に設けられた弾性保持部５１と、前記上レール１１の前面に設けられ、前記弾性保持部５１を嵌め入れることが可能な第１戸板保持具５２とを有する。前記弾性保持部５１は、前記上レール１１の前面に当接する転動体５１１と、この転動体５１１を収納し、前方に開口するハウジング５１２と、ハウジング５１２に接続して設けられこのハウジング５１２を介して転動体５１１を前記上レール１１に向けて付勢する付勢手段たるバネ５１３とを有する。一方、前記第１戸板保持具５２は、その縁部が前記上レール１１の前面に形成した第１戸板保持具取付孔１１ｘの開口縁に係合し、その前面に前記転動体５１１を嵌め入れることが可能な保持凹部５２ａを有する。
【００４０】
さらに、本実施形態では、前記ヒンジ装置４内に前記第２の戸板３を前記閉止位置Ｓ及び前記開成位置Ｏに係止可能な第２戸板保持機構４４を設けている。
【００４１】
具体的には、前記ヒンジ装置４は、斜視図を図１０、正面図を図１１の（ａ）、側面図を同図の（ｂ）、平面図を同図の（ｃ）にそれぞれ示すように、第１の戸板２に取付可能な第１取付部４１と、第２の戸板３に取付可能な第２取付部４２と、これら第１取付部４１及び第２取付部４２を接続するリンク機構４３と、このリンク機構４３の動きを規制する機能を有する前記第２戸板保持機構４４とを備えている。なお、前記図１０及び図１１には、第２の戸板３を開成位置Ｏに移動させている状態でのヒンジ装置４の形状を示している。
【００４２】
さらに詳述すると、前記第１取付部４１は、閉止位置Ｓにおいて前記第２取付部４２に向かう方向に開口するハウジング４１１と、前記ハウジング４１１に幅方向に離間して設けた第１及び第４リンクメンバ支持軸４１２、４１３とを有する。一方、前記第２取付部４２は、閉止位置Ｓにおいて前記第１取付部４１に向かう方向に開口するハウジング４２１と、前記ハウジング４２１に幅方向に離間して設けた第２及び第３リンクメンバ支持軸４２２、４２３とを有する。なお、前記閉止位置Ｓにおいて、幅方向中央部側に前記第４リンクメンバ支持軸４１３及び前記第２リンクメンバ支持軸４２２を配置している。また、これら第１取付部４１及び第２取付部４２は、本実施形態では同一の形状をなす。
【００４３】
前記リンク機構４３は、第１〜第４リンクメンバ４３１〜４３４を、前記第１、第２取付部４１、４２の後方に取り付けて形成している。
【００４４】
具体的には、第１リンクメンバ４３１は、その一端部を前記第１取付部４１の第１リンクメンバ支持軸４１２に枢着している。第２リンクメンバ４３２は、その一端部を前記第２取付部４２の第２リンクメンバ支持軸４２３に枢着しているとともに、他端部を第１リンク軸４３５を介して前記第１リンクメンバ４１の他端部に枢着している。第３リンクメンバ４３は、その一端部を前記第２取付部４２の第３リンクメンバ支持軸４２３に枢着している。第４リンクメンバは、その一端部を前記第１取付部４１の第４リンクメンバ支持軸４１３に枢着しているとともに、他端部を第２リンク軸４３６を介して前記第３リンクメンバ４３３の他端部に枢着している。さらに、前記第１取付部４１と第２取付部４２との離間を防ぎ、このリンク機構４３を拘束連鎖とすべく、前記第２及び第４リンクメンバ４３２、４３４の中間部を中間枢着軸４３７を介して互いに枢着している。なお、本実施形態では、前記第１〜第４リンクメンバ４３１〜４３４自体に第２の戸板３の自重を支持させ、別途第２の戸板３の自重を支持するための機構を設ける必要をなくして外観を整えるようにすべく、前記第１〜第４リンクメンバ４３１〜４３４は、それぞれ単一の部品により構成される剛体であるとともに、前記第２の戸板３の自重により変形しない程度の剛性を有するものとしている。
【００４５】
このリンク機構４３は、中間枢着軸４３７を通り、かつ前記第１取付部４１と前記第２取付部４２との中間を通る線Ｌ０に対称な平面形状をしている。そして、前記第１リンクメンバ４３１と前記第３リンクメンバ４３３とを同一の形状に形成しているとともに、前記第２リンクメンバ４３２と第４リンクメンバ４３４とも同一の形状に形成している。
【００４６】
一方、前記第２戸板保持機構４４は、本実施形態では、前記第１取付部４１のハウジング４１１に収納され、前記第１リンクメンバ４３１の移動を規制し、前記第１の戸板２及び第２の戸板３を前記閉止位置Ｓ及び前記開成位置Ｏに保持するする第１リンクメンバ保持部４４１と、前記第２取付部３のハウジング４２１に収納され、前記第３リンクメンバ４３３の移動を規制し、前記第１の戸板２及び第２の戸板３を前記閉止位置Ｓ及び前記開成位置Ｏに保持する第３リンクメンバ保持部４４２とを有する。
【００４７】
前記第１リンクメンバ保持部４４１は、前記第１のリンクメンバ４３１に形成したカム面４３１ａと、前記第１の戸板２及び第２の戸板３を前記閉止位置Ｓ及び前記開成位置Ｏに付勢する付勢手段たるバネ４４１ａと、樹脂により形成されているとともに接し前記バネ４４１ａに接続され前記カム面４３１ａに当接する当接面４４１ｂ１を有する当接部４４１ｂとを備えている。具体的には、前記当接部４４１ｂは、前記バネ４４１ａにより常時一定方向に付勢されている。一方、前記カム面４３１ａには、前記閉止位置Ｓ及び前記開成位置Ｏにおいて、前記当接面４４１ｂ１に面的に当接するようにすべく、前記閉止位置Ｓに対応する位置に第１平面部４３１ａ１、前記開成位置Ｏに対応する位置に第２平面部４３１ａ２をそれぞれ形成している。
【００４８】
前記第３リンクメンバ保持部４４２は、前記第１リンクメンバ保持部４４１と同一の形状をなし、略同様の構成を有している。すなわち、前記第３リンクメンバ４３３に形成したカム面４３３ａと、前記第１の戸板２及び第２の戸板３を前記閉止位置Ｓ及び前記開成位置Ｏに付勢する付勢手段たるバネ４４２ａと、樹脂により形成されているとともに接し前記バネ４４２ａに接続され前記カム面４３３ａに当接する当接面４４２ｂ１を有する当接部４４２ｂとを備えている。具体的には、前記当接部４４２ｂは、前記バネ４４２ａにより常時一定方向に付勢されている。一方、前記カム面４３３ａには、前記閉止位置Ｓ及び前記開成位置Ｏにおいて、前記当接面４４２ｂ１に面的に当接するようにすべく、前記全閉位置Ｓに対応する位置に第１平面部４３３ａ１、前記全開位置Ｏに対応する位置に第２平面部４３３ａ２をそれぞれ形成している。
【００４９】
加えて、第２の戸板３を閉止位置Ｓに保持すべく、従来ロッカーの扉の係止装置として周知のものと同様の構成を有する係止機構たるラッチ機構６を備えている。
【００５０】
このラッチ機構６は、本体１の上端部及び下端部の前方に位置し上下方向に伸びるピン６１と、第２の戸板３に設けられ、このピン６１に係合可能なラッチ爪６２とを有する。
【００５１】
そして、第２の戸板３が閉止位置Ｓにある状態で第１の戸板２ごとスライド移動させた際に、前記ピン６１と係合してスライド移動を規制するスライド移動規制補助機構７をさらに有する。
【００５２】
前記スライド移動規制補助機構７は、前記ピン６１を嵌め入れて左右方向への移動を禁止する機能を有するピン嵌入口７ａと、前記ピン嵌入口７ａの左右両側に位置し、ピン嵌入口７ａに向かって前方に傾斜する案内傾斜面７ｂとを有する。これらピン嵌入口７ａ及び案内傾斜面７ｂは、案内部材７１の後面に形成している。図６に示すように、ピン６１にラッチ爪６２をかけた状態では、ピン６１がピン嵌入口７ａに嵌め入れられた状態であるので、第１の戸板２のスライド移動は禁止される。すなわち、第２の戸板３を少なくともピン６１がピン嵌入口７ａに嵌め入れられた状態を解消する程度まで開成することにより、第１の戸板２のスライド移動が可能となるようにしている。
【００５３】
ここで、第２の戸板３を前記閉止位置Ｓから前記開成位置Ｏに移動させる際のヒンジ装置４の動きを、図１１のｚ−ｚ断面の要部を拡大して示した図である図１２、第２の戸板３の外面が第２の戸板２の外面と４５度の角をなす状態での図１１に相当する図である図１３、第２の戸板３の外面が第２の戸板２の外面と９０度の角をなす状態での図１１に相当する図である図１４、及び第２の戸板３が開成位置Ｏにある状態での図１１に相当する図である図１５を参照して説明する。
【００５４】
前記閉止位置Ｓにある際には、前記図１２に示すように、前記第１リンクメンバ４３１及び前記第３リンクメンバ４３３のカム面４３１ａ、４３３ａの第１平面部４３１ａ１、４３３ａ１がそれぞれ当接面４４１ｂ１、４４２ｂ１に当接している。前記開成位置Ｏに移動させるべく前記第２の戸板３に操作力を加えると、前記当接部４４１ｂ、４４２ｂを付勢しているバネ４４１ａ、４４２ａが押し込まれ、これらのバネ４４１ａ、４４２ａが前記閉止位置Ｓに前記第２の戸板３を誘導すべく、前記当接部４４１ｂ、４４２ｂを介して前記第１リンクメンバ４３１及び前記第３リンクメンバ４３３を付勢し、前記第２の戸板３の移動を規制する。さらに操作力を加えると、前記図１３に示す状態、前記図１４に示す状態を順に経て、前記開成位置Ｏ間で移動する。このとき、前記図１５に示すように、前記第１リンクメンバ４３１及び前記第３リンクメンバ４３３のカム面４３１ａ、４３３ａの第２平面部４３１ａ２、４３３ａ２がそれぞれ当接面４４１ｂ１、４４２ｂ１に当接し、前記バネ４４１ａ、４４２ａの作用により前記第２の戸板３の閉止位置Ｓに戻る方向の移動が規制される。
【００５５】
以上に述べたように第２の戸板３を移動させると、第２取付部４２はリンク機構４３のリンクメンバの外側の部分を中心に回転移動する。すなわち、第２取付部４２は仮想中心の周りに回転移動する。具体的には、前記図１２に示すように、第２リンクメンバ支持軸４２２は、前記第１の戸板２及び前記第２の戸板３近傍に位置する第１仮想中心Ｘ１を中心とし、円弧Ｌ１上を移動する。また、第３リンクメンバ支持軸４２３は、前記第１の戸板２及び前記第２の戸板３近傍に位置する第２仮想中心Ｘ２を中心とし、円弧Ｌ２上を移動する。
【００５６】
以上に述べたように、本実施形態では、前記第２の戸板３を全て開成位置Ｏに移動させることにより、収納空間１ｓ全体のうち半分を前方に開口させることができ、しかも前記第１の戸板２をスライド移動させることにより、収納空間１ｓの任意の箇所を開口させることができるので、収納空間１ｓをより有効に利用できる。しかも、収納空間に戸袋を設ける必要のある横引きシャッターと異なり、収納空間１ｓ内に戸袋を退避させるための空間を確保する必要がないので、この点からも収納空間１ｓをより有効に利用できる。しかも、第１の戸板２のスライド移動により収納空間１ｓの所望の位置を開口させることができるので、第２の戸板３の開閉動作に伴い第１、第２の戸板２、３前方に形成した通路の通行の妨げとなる不具合が起こりにくい。加えて、前記第１、第２の戸板２、３が全て閉止位置Ｓにある状態では、これら第１、第２の戸板２、３の外面が略面一となるので、非使用時の外観を整えることができる。
【００５７】
前記ヒンジ装置４により、前記第１の戸板２に対して前記第２の戸板３を回動可能に接続しているので、上述したような効果を容易に実現することができる。
【００５８】
前記第２の戸板３の内面にマガジンホルダ３１を設けているとともに、前記第２の戸板３を開成位置Ｏに移動させることにより前記マガジンホルダ３１が外方に露出するので、前記収納空間１ｓに物品を収納する収納家具としての機能の他に、前記第２の戸板３を開成位置Ｏに移動させることにより前記マガジンホルダ３１をも利用することができる。なお、前記機能部としては、マガジンホルダ３１以外に、例えば前記第２の戸板の内面に形成した鏡面等を設けてもよい。
【００５９】
前記本体１を幅方向に隣接させて２個設け、前記本体１が幅方向に延伸する上レール１１及び下レール１２を有するとともに、前記第１の戸板２を、一の本体１の上レール１１及び下レール１２に支持された状態から他の本体１の上レール１１及び下レール１２に支持された状態にスライド移動により移行可能に構成しているので、本体１の境界を越えて前記第１の戸板２を移動させることができる。従って、前記第２の戸板３を開成位置Ｏに移動させた後、前記図４のように前記第１の戸板２を一端部に集中させて他端部に大きな開口を設けることや、前記第１の戸板２を両端部に集中させて中央部に大きな開口を設ける等、より大きな開口部を形成することができる。以上に述べた効果は、３個以上の本体１を幅方向に隣接させて設ける態様であっても同様に得ることができる。
【００６０】
前記上レール１１及び下レール１２の前方に前記第１の戸板２及び前記第２の戸板３を位置させているので、上述したように本体１の幅方向一杯に延伸して前記上レール１１及び下レール１２を設けることができ、従って前段で述べた構成を容易に実現できる。
【００６１】
前記第１の戸板２を所定の位置に保持可能な第１戸板保持機構５を有するので、この第１戸板保持機構５を作動させることにより、外部からの思わぬ作用によって前記第１の戸板２が利用者の意図しないスライド移動を行う不具合を起こりにくくでき、従ってこのような収納家具をより安定して利用できる。
【００６２】
前記第１戸板保持機構５を前記第１の戸板と同数、すなわち２箇所に有し、前記第１の戸板２の全てを前記第１戸板保持機構５を介して保持し前記第２の戸板３を前記閉止位置Ｓに移動させた状態で、前記第１の戸板２及び前記第２の戸板３により前記収納空間１ｓが隠蔽される位置に前記所定の位置を設定しているので、前記第１の戸板２及び前記第２の戸板３の外面を容易に面一にすることができる。
【００６３】
特に、一方の第１の戸板２をスライド移動させ、前記全戸板閉止状態において他の第１の戸板２が位置する箇所に第１戸板保持機構５を介して前記一方の第１の戸板２を保持可能であるので、前記一方の第１の戸板２を第１戸板保持機構５を介して保持することにより、この第１の戸板２を移動させて設けた開口を安定して維持できる。
【００６４】
さらに、前記一方の第１の戸板２を第１戸板保持機構５を介して保持させた状態で、前記一方の第１の戸板にヒンジ装置４を介して接続され閉止位置Ｓにある第２の戸板３を閉止位置Ｓに係止可能であるラッチ機構６を有するので、収納空間１ｓを開口させる位置及び隠蔽させる位置の設定の自由度を高めることができる。
【００６５】
前記第１の戸板２を本体１に設けた上レール１１を介して支持し、前記第１の戸板２に設けた弾性保持部５１の転動体５１１を前記上レール１１に当接させているとともに、前記第１戸板保持機構５が、前記上レール１１の当接面に設けた変形部たる保持凹部５２ａに前記転動体５１１を係止する構成を有するので、前記上レール１１に第１戸板保持具取付孔１１ｘを形成し、この第１戸板保持具取付孔１１ｘに前記保持凹部５２ａを有する第１戸板保持具５２を取り付ける比較的簡単な加工により前記第１戸板保持機構５を実現できる。なお、保持凹部は、プレス等により前記レールの当接面に直接形成してもよい。
【００６６】
前記第２の戸板３を前記閉止位置Ｓ又は前記開成位置Ｏに係止可能な第２戸板保持機構４４を前記ヒンジ装置４内に有するので、第２の戸板３が外部からの思わぬ作用により開閉運動してしまう不具合の発生を抑えるとともに、第２の戸板３の開閉操作にクリック感を与えることができる。
【００６７】
なお、本発明は以上に述べた実施形態に限られない。
【００６８】
例えば、３個以上の本体を幅方向に隣接させて配置したものであれば、第２の戸板を開成位置に移動させ、第１の戸板をスライド移動させて開口を所望の位置に設ける効果や、大きな開口を設けることができる効果をより顕著に得ることができる。
【００６９】
その際、前記一の第１の戸板及び該第１の戸板に接続され閉止位置にある第２の戸板を越えて、該第１の戸板及び第２の戸板に隣接する他の第１の戸板がスライド移動することを禁止するスライド禁止機構をさらに設けるとよい。このスライド禁止機構を利用すれば、開口部の両側において第２の戸板を閉止位置にし、前記スライド禁止機構を機能させることにより開口部の開口状態を安定して維持できる。
【００７０】
このような構成であれば、例えば、第２の戸板３を全て開成位置Ｏに移動させ、これら第２の戸板３を接続した第１の戸板２を収納空間１ｓの一端側にスライド移動させて他端側に大きな開口を設けた後、図１６に概略を示すように、前記他端に位置する第２の戸板３のみを閉止位置Ｓに移動させて、他の第１の戸板２及び第２の戸板３が前記開口の前方にスライド移動することを禁止するようにすることができる。
【００７１】
また、第２の戸板３を全て開成位置Ｏに移動させ、これら第２の戸板３を接続した第１の戸板２を収納空間１ｓの端部にスライド移動させて中間に大きな開口を設けた後、図１７に概略を示すように、前記開口に臨む２つの第２の戸板３のみを閉止位置Ｓに移動させて、他の第１の戸板２及び第２の戸板３が前記開口の前方にスライド移動することを禁止するようにすることもできる。
【００７２】
また、前記第１の戸板の外面及び前記第２の戸板の外面が略または完全に面一をなす閉止位置と、前記第１の戸板に前記第２の戸板が正面視略または完全に重合する開成位置との間で、前記第２の戸板を平行移動可能に前記第１の戸板に接続する接続手段を上述した実施形態におけるヒンジ装置に替えて設けるようにしてもよい。
【００７３】
さらに、第１の戸板の両側縁部に第２の戸板を接続するようにしてもよい。このようにすれば、第１の戸板の両側縁部にそれぞれ接続した第２の戸板を開成位置に移動させることにより、閉止位置においてこれら３枚の戸板に隠蔽されていた部分のうち３分の２を前方に開口させることができる。
【００７４】
加えて、図１８に示すように、ソレノイド１０１１及びロックピン１０１２を利用して形成した開閉ロック機構１０１を各第２の戸板３ごとに設けるとともに、これら開閉ロック機構１０１を開閉ロック機構作動司令部１０２に電気的に接続し、この開閉ロック機構作動司令部１０２からの信号を受けて開閉ロック機構１０１を作動させるようにしてもよい。すなわち、前記開閉ロック機構作動司令部１０２からのロック指令信号を受けてロックピン１０１２により第２の戸板３の開閉を規制するようロック装置１０１を作動させるとともに、前記開閉ロック機構作動司令部１０２からのロック解除指令信号を受けてロックピン１０１２により第２の戸板３の開閉を規制している状態を解除するよう開閉ロック機構１０１を作動させるようにしてもよい。
【００７５】
ここで、前記開閉ロック機構１０１のソレノイド１０１１及びロックピン１０１２を本体１側に設ければ、第２の戸板３側にソレノイド１０１１及びロックピン１０１２を設ける態様と比較して配線を容易に行うことができる。
【００７６】
さらに、前記第２の戸板３を前記閉止位置Ｓに移動させた戸板閉止状態であることを検知する戸板閉止検知手段を設け、戸板閉止状態においてのみ前記開閉ロック機構作動司令部１０２が機能するようにすれば、開成位置Ｏにある第２の戸板３がある状態で開閉ロック機構作動司令部１０２を機能させることにより前記開成位置Ｏにある第２の戸板３の閉止位置Ｓへの移動がロックピン１０１２に妨げられて禁止されてしまう不具合の発生を防ぐことができる。
【００７７】
そして、本体１が全て前記ソレノイド１０１１を有するとともに、幅方向に隣接する本体１のソレノイド１０１１と電気的に接続して開閉ロック機構作動司令部１０２と連動可能に構成しているものであれば、新たな本体１をすでに設置されている収納家具Ｆに幅方向に隣接させて設け、この本体１のソレノイド１０１１を幅方向に隣接する本体１のソレノイド１０１１と電気的に接続することにより、開閉ロック機構作動司令部１０２の機能を維持しつつ収納空間１ｓの拡張を行うことができる。
【００７８】
また、第１戸板保持機構も、種々の構成が考えられる。例えば、上述した実施形態における上レール１１のレール面部１１４に、図１９の（ａ）に示すような凹部１１４ｘを形成し、この凹部１１４ｘに第１上転動体２１１を落とし込んで係止するものが考えられる。また、前記上レール１１のレール面部１１４に、図１９の（ｂ）に示すような突起１１４ｙを幅方向に離間させて１対形成し、この突起１１４ｙ間に前記第１上転動体２１１を位置させて係止するものも考えられる。
【００７９】
さらに、第１戸板保持機構としては、図２０の（ａ）に示すように、前記上レール１１の上レール本体１１１の前面及び前記レール面部１１４の前端から起立して設けた起立壁１１４１に、それぞれ相寄る方向に突出する突起５９ａ、５９ｂを設けるとともに、前記第１上転動体２１１の側面を前記突起５９ａ、５９ｂに当接させて係止するものも考えられる。さらに、図２０の（ｂ）に示すように、前記上レール１１の上レール本体１１１の前面に、レール面１１４ａの上方に向かう方向にバネＳＰ等に代表される付勢手段により付勢される係止具５９ｘを設け、この係止具５９ｘ、５９ｙを第１上転動体２１１の側面に当接させて係止するものも考えられる。
【００８０】
加えて、第２の戸板３の機能部として、マガジンホルダ３１以外に、第２の戸板３に反使用端３２１ｘ側を支持させてなり、図２１に示すように天板面３２１ａが上方を向く使用状態と天板面３２１ａが第２の戸板３の板面と略背向する収納状態との間で変化可能な天板３２１を有する簡易テーブル３２を備えるようにしてもよい。
【００８１】
具体的には、この簡易テーブル３２は、前記図２１、及びこの簡易テーブル３２を下斜め右側からみた斜視図である図２２に示すように、反使用端３２１ｘを蝶番３２１ａを介して第２の戸板３に支持させた天板３２１と、第２の戸板３に蝶番３２２ａを介して接続される板面部３２２ｘ及びこの板面部３２２ｘの上端に設けられ前記天板３２１を下方から支持し、左右１対に設けられる支持部３２２ｙとを有する支持具３２２とを有する。前記支持具３２２は、前記板面部３２２ｘの板面が側方を向き設けられ前記天板３２１を下方から支持する機能を発揮可能な展開状態と、前記板面部３２２ｘの板面が前記第２の戸板３の板面に略対向する収納状態との間で変化可能である。
【００８２】
この簡易テーブル３２は、１対の前記支持部３２２ｙを蝶番３２２ａ周りにそれぞれ相寄る方向に回転させて前記収納状態にし、次いで前記天板３２１を前記蝶番３２１ａ周りに下方に回転して前記収納状態にすることで、この簡易テーブル３２の奥行き寸法を縮減させ、第２の戸板３を閉止位置に移動させた際の収納空間１ｓにおける占有区間をも縮減できる。逆の操作を行えば、天板３２１を安定して使用できる状態に戻すことができる。
【００８３】
なお、上述した構成の簡易テーブル３２でなく、例えば、天板と、天板の反使用端側に設けられ該天板を天板面が第２の戸板の板面と略対向する収納位置と天板面が上方を向く使用位置との間で移動可能に支持する接続部とを有し、前記接続部に該天板を収納位置側に付勢するねじりコイルバネ等の付勢手段を備える構成の簡易テーブルを備えるようにしてもよい。
【００８４】
その他、本発明の趣旨を損ねない範囲で種々に変形してよい。
【図面の簡単な説明】
【００８５】
【図１】本発明の一実施形態に係る収納家具の正面図。
【図２】同実施形態に係る収納家具の第２の戸板の１枚のみを開成位置に移動させた状態の正面図。
【図３】図２に示す状態の斜視図。
【図４】同実施形態に係る収納家具の第２の戸板の全てを開成位置に移動させた状態の正面図。
【図５】図１における本体の境界付近を拡大して示した図。
【図６】図１におけるｘ−ｘ断面の本体１の境界付近を拡大して示した図。
【図７】図１におけるｙ−ｙ断面の第１の戸板２の上端近傍の部分を拡大して示した図。
【図８】図１におけるｙ−ｙ断面の第１の戸板２の下端近傍の部分を拡大して示した図。
【図９】第２の戸板を開成位置に移動させた状態における上レール、本体の境界、第１の戸板、及び第２の戸板の関係を示す斜視図。
【図１０】同実施形態に係る収納家具のヒンジ装置を示す斜視図。
【図１１】同実施形態に係る収納家具のヒンジ装置を示す正面図、側面図、及び平面図。
【図１２】図１１のｚ−ｚ断面の要部を示す図。
【図１３】同実施形態に係るヒンジ装置の動作を示す図。
【図１４】同実施形態に係るヒンジ装置の動作を示す図。
【図１５】同実施形態に係るヒンジ装置の動作を示す図。
【図１６】本発明の他の実施形態に係る収納家具を示す図。
【図１７】本発明の他の実施形態に係る収納家具を示す図。
【図１８】本発明の他の実施形態に係る収納家具を示す図。
【図１９】本発明の他の実施形態に係る第１戸板保持機構を示す図。
【図２０】本発明の他の実施形態に係る第１戸板保持機構を示す図。
【図２１】本発明の他の実施形態に係る収納家具を示す図。
【図２２】本発明の他の実施形態に係る収納家具の簡易テーブルを示す図。
【符号の説明】
【００８６】
１…本体
１１…上レール
１２…下レール
２…第１の戸板
３…第２の戸板
３１…マガジンホルダ（機能部）
４…ヒンジ装置（接続手段）
４４…第２戸板保持機構
５…第１戸板保持機構
Ｒ…リンク機構（接続手段）
１０２…開閉ロック機構作動司令部
Ｓ…閉止位置
Ｏ…開成位置
【図１】
2005282195.tif 000003
【図２】
2005282195.tif 000004
【図３】
2005282195.tif 000005
【図４】
2005282195.tif 000006
【図５】
2005282195.tif 000007
【図６】
2005282195.tif 000008
【図７】
2005282195.tif 000009
【図８】
2005282195.tif 000010
【図９】
2005282195.tif 000011
【図１０】
2005282195.tif 000012
【図１１】
2005282195.tif 000013
【図１２】
2005282195.tif 000014
【図１３】
2005282195.tif 000015
【図１４】
2005282195.tif 000016
【図１５】
2005282195.tif 000017
【図１６】
2005282195.tif 000018
【図１７】
2005282195.tif 000019
【図１８】
2005282195.tif 000020
【図１９】
2005282195.tif 000021
【図２０】
2005282195.tif 000022
【図２１】
2005282195.tif 000023
【図２２】
2005282195.tif 000024